(57)【要約】【課題】  カメラの位置を調整でき、映像を使用しても構成が簡易となるカメラ付マイク装置、および、映像を用いても簡易な設備でマイクロホンの音声レベルの調整を行うことができ、また、映像に対応する音声を分かりやすく表示できるマイク音声検出調整装置を提供することを課題とする。【解決手段】  マイク音声検出調整装置１は、マイクの指向方向に沿って設けたカメラを有するカメラ付マイク１１を複数設置し、当該カメラ付マイクのマイクで取得した音声信号（第１音声信号）を第１音声用ケーブルにより伝送するとともに、前記カメラの映像を変換し前記マイクの第２音声用ケーブル１０ｂを用いて伝送して前記音声の調整を行うマイク音声検出調整装置であって、変換手段２と、映像出力手段５と、音声出力手段６と、音声調整手段３と、切替手段４と、を備える構成とした。【選択図】  図１
2007028431.tif 000002
【特許請求の範囲】
【請求項１】
音声を集音するマイクロホンと、このマイクロホンに取付けられる取付機構と、この取付機構を介して前記マイクロホンに隣り合わせて取付けられるカメラとを備え、前記カメラからの映像信号および前記マイクロホンからの音声信号を、音声用ケーブルを介して伝送するカメラ付マイク装置であって、
前記カメラで撮影した前記映像信号を前記音声用ケーブルで伝送できる信号に変換する変換手段と、
前記取付機構に、前記カメラの角度を調整する角度調整手段と、を備え、
前記変換手段により映像信号から変換された信号を前記音声用ケーブルに出力することを特徴とすることを特徴とするカメラ付マイク装置。
【請求項２】
マイクロホンの指向方向に沿って設けたカメラを有するカメラ付マイクを複数設置し、当該カメラ付マイクのマイクロホンで取得した音声を第１信号とすると共に、前記カメラの映像を変換して第２信号とし、第１音声用ケーブルおよび第２音声用ケーブルを用いて伝送される前記音声の調整を行うマイク音声検出調整装置であって、
前記第２音声用ケーブルを用いて伝送された第２信号を変換して映像信号とする変換手段と、
この変換手段で変換した映像信号を映像として表示する表示手段に出力する映像出力手段と、
前記第１音声用ケーブルで伝送され、前記映像出力手段で出力した映像信号に対応する前記第１信号を音声として音声表示手段に出力する音声出力手段と、
前記第１音声用ケーブルで伝送された第１信号のレベルを調整する音声調整手段と、
前記映像出力手段で出力される映像信号、および、その映像信号と対応して前記音声出力手段で出力される第１信号を、外部に設置される切替選択手段からの選択信号に基づいて、一対として切り替える切替手段と、
を備えることを特徴とするマイク音声検出調整装置。
【請求項３】
マイクロホンの指向方向に沿って設けたカメラを有するカメラ付マイクを複数設置し、当該カメラ付マイクのマイクロホンで取得した音声を第１信号とすると共に、前記カメラの映像を変換して第２信号とし、第１音声用ケーブルおよび第２音声用ケーブルを用いて伝送される前記音声の調整を行うマイク音声検出調整装置であって、
前記第２音声用ケーブルを用いて伝送された第１信号を変換して映像信号とする変換手段と、
この変換手段で変換した映像信号を映像として表示する表示手段に出力する映像出力手段と、
前記第１音声用ケーブルで伝送され、前記映像出力手段で出力した映像信号に対応する前記第１信号を音声として音声表示手段に出力する音声出力手段と、
前記第１音声用ケーブルで伝送された前記第１信号のレベルを調整する音声調整手段と、
前記音声出力手段で出力される第１信号を、外部に設置される切替選択手段からの選択信号に基づいて、切り替える音声切替手段と、
を備えることを特徴とするマイク音声検出調整装置。
【請求項４】
前記映像出力手段は、前記選択信号に基づいて前記表示手段で表示される映像を他の映像と識別して表示させる識別表示手段と、この識別表示手段で識別した映像を他の映像と合成する映像合成手段とを備えることを特徴とする請求項３に記載のマイク音声検出調整装置。
【発明の詳細な説明】
【技術分野】
【０００１】
本発明は、映像を利用してマイクロホンの音声の調整を行うマイク音声検出調整装置に関するものである。
【背景技術】
【０００２】
一般に、放送スタジオや演奏ステージあるいは録音スタジオ等では、音声を確実に捉えるために、複数のマイクロホンが使用される。
例えば、多くの演奏者が広い舞台上で演奏するオーケストラを生放送あるいは録画放送する場合には、オーケストラ全体の音を捉えるマイクロホン、会場内の反響音を捉えるマイクロホンの他に、少数の演奏者グループ毎の音を捉える複数のマイクロホンが使用されている。
これらの複数のマイクロホンで捉えられた音声信号は、音声調整卓に集約され、最適な音響効果が得られるように音声信号のレベル等が調整され、ミキシングされて、最終的な音源が作成される。
【０００３】
また、テレビジョンスタジオ等での番組制作によっては、セットに複数のマイクロホンを配置し、それぞれのマイクロホンからの音声信号を、副調整室で適宜切替えて、１つの番組を構成する場合がある。例えば、スタジオ内に多くの参加者を集めて行うテレビジョン討論番組等では、参加者毎あるいは少数の参加者グループ毎に複数のマイクロホンを使用し、必要な音声信号を副調整室で適宜切替え、ミキシングして、１つの番組を構成している。
【０００４】
なお、使用されるマイクロホンは、指向特性があるため、適切に設置されていたマイクロホンが何らかの原因により向きが変わったり、あるいは、不適切な設置位置であったりすることで、音源が有効な指向特性範囲から外れた場合には、良好な音声を取得することができない。そのため、マイクロホンの設置状況を監視するために、音声調整卓に検聴用の音声モニタを用意し、各々のマイクロホンの音声信号を検聴スイッチで切替えて監視する音声調整卓が提案されている（例えば、特許文献１参照）。
【０００５】
この音声調整卓は、複数のマイクロホン毎に音声信号のレベル等を調整する調整手段、調整された複数の信号を１組の信号に合成する合成手段、合成された信号を放送系あるいは録音装置に送出する出力手段、合成された信号を試聴するモニタ手段、に加えて、複数のマイクロホンの１つを選択する選択手段、選択されたマイクロホンからの音声信号を検聴する検聴手段、から構成されている。そして、音声調整卓は、複数のマイクロホンの設置状態において、対象とするマイクロホンを選択手段によって選択し、モニタ手段により検聴している。
【０００６】
また、複数のマイクロホンを使用するテレビジョン会議で、発言者を確認するためにマイクロホンとＣＣＤ等の撮像素子をマイクロホン筐体により一体化し、フレキシブル屈曲部材を介して画角の調整を行うことができるテレビ会議用マイクロホンが提案されている。（例えば、特許文献２参照）。
このテレビジョン会議システムにおいて使用されるテレビ会議用マイクロホンは、マイクロホンからの音声信号とテレビジョンカメラからの映像信号は、１つの被覆内に収納された２組の信号ケーブルによって送出されそれぞれ処理されている。
【特許文献１】特開２００２−２９０３６０号公報
【特許文献２】特開平５−２６８６８８号公報
【発明の開示】
【発明が解決しようとする課題】
【０００７】
しかし、従来のカメラ付マイクあるいはカメラ付マイクを複数使用する場合の装置では、以下に示す問題点が存在していた。
特許文献２に記載のテレビ会議用マイクホンの構成では、フレキシブル屈曲部材を介してマイクロホン筐体に一体に取り付けたマイクロホンおよび撮像素子の設置角度を調整するため、マイクロホンの設定位置において音声の調整を行う場合には、撮影する映像の位置の調整ができなかった。なお、前記構成では、マイクロホンを用途に応じて変更することもできなかった。
【０００８】
さらに、特許文献２のテレビ会議用マイクホンの構成では、本来マイクロホンの調整を行う音声用ケーブルとは別に、映像を伝送するケーブルが必要になるため、設備が大掛かりになってしまった。
【０００９】
また、特許文献１に記載の音声調整卓では、映像との関係でマイクロホンの調整を行う構成ではないため、マイクロホンの設置状態を映像により確認することはできず、例え、特許文献２の構成と組み合わせたとしても、映像を伝送するケーブルは必要となってしまい設備の増加は免れない。
【００１０】
本発明は、前記した問題点に鑑み創案されたものであり、カメラの位置を調整でき、映像を使用しても構成が簡易となるカメラ付マイク装置、および、映像を用いても簡易な設備でマイクロホンのレベル調整を行うことができ、また、映像に対応する音声を分かりやすく表示できるマイク音声検出調整装置を提供することを課題とする。
【課題を解決するための手段】
【００１１】
本発明に係るカメラ付マイク装置は、前記した課題を解決するために、以下のような構成とした。音声を集音するマイクロホンと、このマイクロホンに取付けられる取付機構と、この取付機構を介して前記マイクロホンに隣り合わせて取付けられるカメラとを備え、前記カメラからの映像信号および前記マイクロホンからの音声信号を、音声用ケーブルを介して伝送するカメラ付マイク装置であって、前記カメラで撮影した前記映像信号を前記音声用ケーブルで伝送できる信号に変換する変換手段と、前記取付機構に、前記カメラの角度を調整する角度調整手段と、を備え、前記変換手段により映像信号から変換された信号を前記音声用ケーブルに出力する構成とした。
【００１２】
このように構成したカメラ付マイク装置は、取付機構の角度調整手段を介してカメラの角度を調整することで、マイクロホンの位置に合わせた映像を取得でき、かつ、変換手段により映像信号を音声信号に変換し、マイクロホンの音声信号とともに、音声用ケーブルを介して伝送している。なお、カメラ付マイク装置は、用途に応じてマイクロホン部分を取り替えられるように、取付機構に対して着脱自在となるようにカートリッジ形式に形成されることで、より汎用的に使用することができる。
【００１３】
また、本発明に係るマイク音声検出調整装置は、前記した課題を解決するために、以下のような構成とした。
マイク音声検出調整装置は、マイクロホンの指向方向に沿って設けたカメラを有するカメラ付マイクを複数設置し、当該カメラ付マイクのマイクロホンで取得した音声を第１信号とすると共に、前記カメラの映像を変換して第２信号とし、第１音声用ケーブルおよび第２音声用ケーブルを用いて伝送される前記音声の調整を行うマイク音声検出調整装置であって、前記第２音声用ケーブルからの第２信号を映像信号に変換する変換手段と、変換した映像信号を表示手段に出力する映像出力手段と、前記第１音声用ケーブルで伝送され、前記映像出力手段で出力した映像信号に対応する第１信号を音声表示手段に出力する音声出力手段と、前記第１音声用ケーブルで伝送された第１信号のレベルを調整する音声調整手段と、前記映像信号、および、その映像信号と対応する第１信号（音声信号）を、外部に設置される切替選択手段からの選択信号に基づいて、一対として切り替える切替手段と、を備える構成とした。
【００１４】
このように構成したマイク音声検出調整装置は、第２音声用ケーブルを用いて伝送された映像信号を変換した第２信号を、再び変換手段により変換して映像信号とし、映像出力手段から出力して表示手段に映像として表示する。また、第１音声用ケーブルにより伝送された第１信号（音声信号）は、表示手段に出力された映像に対応するものを、音声出力手段により音声表示手段に出力する。そして、マイク音声検出調整装置は、外部に設置される切替選択手段からの選択信号に基づいて、切替手段が映像に対応する音声を一対として切替え、映像を確認しながら音声（音声信号）のレベルの調整を、音声調整手段を介して調整している。なお、音声調整手段により調整された第１信号（音声信号）は、放送用あるいは録画用（録音用）として、音声調整手段の後段から分岐されて出力され使用することができる。
【００１５】
そして、マイク音声検出調整装置は、マイクロホンの指向方向に沿って設けたカメラを有するカメラ付マイクを複数設置し、当該カメラ付マイクのマイクロホンで取得した音声を第１信号とすると共に、前記カメラの映像を変換して第２信号とし、第１音声用ケーブルおよび第２音声用ケーブルを用いて伝送される前記音声の調整を行うマイク音声検出調整装置であって、変換手段と、映像出力手段と、音声出力手段と、音声調整手段と、音声切替手段と、を備える構成とした。
【００１６】
このように構成したマイク音声検出調整装置は、第２音声用ケーブルを用いて伝送された第２信号を変換手段により映像信号に変換して、変換した映像信号の全てを映像出力手段により表示手段に出力する。そして、第１音声用ケーブルで伝送され、表示手段に出力される映像信号に対応する第１信号の全部または一部を、音声調整手段および音声切替手段を介して、音声出力手段により音声表示手段に出力する。そして、マイク音声検出調整装置は、外部に設置される切替選択手段からの選択信号に基づいて、音声切替手段が第１信号（音声信号）を切替えて、音声表示手段に出力し、出力された音声表示手段の音声により、音声調整手段を介して、第１信号（音声信号）のレベルを調整している。なお、第１信号（音声信号）は、音声調整手段の後段から分岐されて出力され放送用の音声信号として使用することができる。
【００１７】
さらに、マイク音声検出調整装置は、変換手段と、映像出力手段と、音声出力手段と、音声調整手段と、音声切替手段と、を備えるとともに、識別表示手段と、映像合成手段とを備える構成とした。
このように構成したマイク音声検出調整装置は、外部に設置される切替選択手段からの選択信号に基づいて、音声信号が音声切替手段を介して選択されると、識別表示手段が当該選択信号に基づいて表示手段で表示される映像を他の映像と識別できる状態を示す映像、例えば識別映像を作成する。さらに、マイク音声検出調整装置は、識別表示手段で表示（作成）した映像（識別映像）を映像合成手段が他の映像と合成して表示手段に表示することで、選択された映像を他の映像とは区別して表示する。
【発明の効果】
【００１８】
本発明に係るカメラ付マイク装置およびマイク音声検出調整装置は、以下に示す優れた効果を奏するものである。
カメラ付マイク装置は、カメラの角度を角度調整手段により調整することができるため、マイクロホンの位置を音源に基づいて調整しても音源側の映像を適切に撮影することができ、常に音声と映像によりマイクロホンの音声の調整を可能とする。また、カメラ付マイク装置は、変換手段を介して映像信号を音声用ケーブルで伝送できる信号（第２信号）に変換して、映像信号および音声信号（第１信号）を音声用ケーブル（第１および第２音声用ケーブル）で伝送することができるため、映像用のケーブルを必要とせず、簡易な構成で音声の調整を行うことが可能となる。
【００１９】
マイク音声検出調整装置は、マイクロホンで使用される音声用ケーブル（第１、第２音声用ケーブル）により音声信号（第１信号）および映像信号を変換した信号（第２信号）を伝送して、音声信号のレベルを、映像により確認しながら調整することが可能となる。そのため、マイク音声検出調整装置は、映像信号を使用してもマイクロホンに使用される音声用ケーブルにより音源とマイクロホンの対応を１人で操作しても迅速に調整することができる。
【００２０】
マイク音声検出調整装置は、音声用ケーブルを用いて伝送される映像信号（第２信号）と音声信号（第１信号）を一対で切替える切替手段を備えている場合には、使用されるカメラ付マイクの数が増えても、各マイクロホンの音声信号（第１信号）のレベル調整を確実に行うことができる。さらに、マイク音声検出調整装置は、音声信号を切替える音声切替手段を備えている場合には、簡単な構成で、操作者が映像を確認しながら音声信号（第１信号）を切替えマイクロホンのレベル調整が可能となる。
【００２１】
マイク音声検出調整装置は、音声切替手段により切替えられた音声信号（第１信号）に対応する映像信号を、他の映像信号から識別した状態で合成して出力する構成としているため、音声信号のレベル調整を行う場合に音声信号と映像信号との対応関係が明確になり分かりやすく表示でき、音声信号のレベル調整の作業もし易くなる。
【発明を実施するための最良の形態】
【００２２】
以下、本発明のマイク音声検出調整装置について図面を参照して最良の実施形態を説明する。図１はマイク音声検出調整装置を含むマイク音声検出調整システムの全体を示す構成ブロック図、図２（ａ）はカメラ付マイクの全体を示す斜視図、（ｂ）はカメラ付マイクの構成図である。
【００２３】
マイク音声検出調整システムＡは、カメラ付マイク１１と、このカメラ付マイク１１から送られてくる映像信号を変換する変換手段１２と、この変換手段１２により変換された信号（第２信号）を伝送する第２音声用ケーブル１０ｂおよびマイクロホン１１ａからの音声信号（第１信号）を伝送する第１音声用ケーブル１０ａと、この音声用ケーブル１０（１０ａ，１０ｂ）により伝送される信号のうちマイクロホン１１ａからの音声信号の調整を行うマイク音声検出調整装置１と、このマイク音声検出調整装置１に接続される、操作手段７、表示モニタである表示手段８、スピーカである音声表示手段９を備えている。なお、マイク音声検出調整装置１は、音声信号を調整して外部（例えば放送用）に分岐して出力できるように構成されている。
【００２４】
図２に示すように、カメラ付マイク１１は、指向性（または全指向性）を有するマイクロホン１１ａと、このマイクロホン１１ａに取付機構１１ｂを介して一体に取付けられたＣＣＤカメラおよびＣＭＯＳカメラなどの小型カメラ１１ｃとを備えている。なお、マイクロホン１１ａは、後部にコネクタ部を有しているため、取付機構１１ｂに設けたソケット部と着脱自在に接続することができるように構成されている。
【００２５】
取付機構１１ｂは、小型カメラ１１ｃの取付角度を調整する角度調整手段１１ｄを有している。この角度調整手段１１ｄは、小型カメラ１１ｃを支持する支持部１１ｅと、この支持部１１ｅをチルト方向に回動自在に第１支軸を介して軸支し、取付機構１１ｂに第２支軸を介して軸支される支持アーム１１ｆとを有している。そのため、小型カメラ１１ｃは、支持アーム１１ｆの角度位置と、小型カメラ１１ｃの角度位置とにより調整することが可能となる。
【００２６】
カメラ付マイク１１は、マイクロホン１１ａの指向性に対応して小型カメラ１１ｃの撮影角度が設定されている。なお、マイクロホン１１ａが全指向性の場合には、集音するときにベストとなる角度に対応して小型カメラ１１ｃの撮影角度が設定される。なお、小型カメラ１１ｃは、取付機構１１ｂあるいいはマイクロホン１１ａ内にバッテリー（図示せず）を収納して電源を供給する構成であっても構わない。
【００２７】
変換手段１２は、映像信号を音声用ケーブル１０で伝送できる信号（第２信号）に変換するためのものである。なお、変換手段１２は、ここでは、一例として、音声信号の平衡ケーブル（音声用ケーブル１０（１０ａ，１０ｂ））で映像信号を送るため、映像信号の不平衡出力を不平衡−平衡変換装置（バラン）（図示せず）によって、平衡出力に変換した状態で第１音声用ケーブル１０ｂに出力している。なお、この変換手段１２は、その一例であるバランを用いる構成であれば、直流を通過させることができるため、マイク音声検出調整装置１内に図示しない電源を設けて供給する構成としても構わない。
【００２８】
図１に示すように、操作手段７は、音声レベルを入力する音声レベル入力手段７ａと、音声信号および映像信号を一対として切替えるために選択する切替選択手段７ｂとを備えている。
音声レベル入力手段７ａは、カメラ付マイク１１の音声信号（第１信号）を調整するものであり、ここでは、スライドスイッチが使用されている。なお、この音声レベル入力手段７ａは、音量およびバランス等の音声に関する調整ができるように構成されている。また、切替選択手段７ｂは、後記する切替手段４に選択信号を送るものであり、ここでは、カメラ付マイク１１毎に音声信号および映像信号を一対として切り替わるように選択信号を送っている。
【００２９】
マイク音声検出調整装置１は、カメラ付マイク１１から第２音声用ケーブル１０ｂにより伝送されて来る信号を映像信号に変換する変換手段２と、カメラ付マイク１１から第１音声用ケーブル１０ａにより伝送されて来る音声信号のレベル調整を行うそれぞれの音声調整手段３と、この音声調整手段３からの音声信号および変換手段２からの映像信号を、外部からの選択信号に基づいて切替える切替手段４と、この切替手段４から出力される音声信号および映像信号をそれぞれ表示手段８あるいは音声表示手段９に出力する映像出力手段５および音声出力手段６を備えている。
【００３０】
変換手段２は、カメラ付マイク１１の変換手段１２で映像信号から変換して第２音声用ケーブル１０ｂを介して伝送される信号（第２信号）を、再び変換して映像信号に変換するものである。この変換手段２により変換された信号は、切替手段４を介して各々映像出力手段５に出力される。
【００３１】
音声調整手段３は、第１音声ケーブル１０ａにより送られてくる音声信号毎に対応して配置されており、音声信号のレベルを調整するものである。この音声調整手段３は、操作手段７の音声レベル入力手段７ａを操作することで調整作業を行うことができるように構成されている。音声調整手段３から出力された音声信号は、切替手段４に出力される。なお、音声調整手段３の後段には、外部に出力するための分岐路が形成されている。また、音声信号のレベルを調整するとは、音量の調整と合わせて音声信号のバランス等、音声信号（音声）に関する一般的な調整を行うことである。
【００３２】
切替手段４は、音声信号および映像信号のオンオフの切替を行うものであり、ここでは音声信号とその音声信号に対応する映像信号とが一対として切替えられるように動作する切替スイッチ４ａを使用している。この切替手段４は、カメラ付マイク１１毎に設置されており、操作手段７の切替選択手段７ｂからの選択信号に基づいて操作されている。切替手段４は、切替選択手段７ｂの一つが選択された場合には、その選択された選択信号に基づいて一つの切替スイッチ４ａをオンとし、他の切替スイッチ４ａをオフとする。同様に、切替選択手段７ｂの複数が選択された場合には、その選択された選択信号に基づいて複数の切替スイッチ４ａをオンとし、他の切替スイッチ４ａをオフとする。
【００３３】
映像出力手段５は、切替手段４により切替えられてオン状態となっている映像信号を表示手段８に出力するものである。なお、表示手段８は、個々の映像信号に対応する数だけ設置される構成としても構わない。
【００３４】
音声出力手段６は、切替手段４により切替えられてオン状態となっている音声信号を音声表示手段９に出力するものである。なお、音声表示手段９は、スピーカを一台設置する構成とすることや、また、スピーカを二台設置すること構成とすることや、さらに、５．１サラウンドに対応する位置にスピーカを設置する構成としても構わない。
【００３５】
つぎに、マイク音声検出調整装置１の使用例について図１および図３を参照して説明する。図３は、マイク音声検出調整装置１をオーケストラによる演奏を行う場合において使用する状態を模式的に示す模式図である。
はじめに、カメラ付マイク１１を所定位置にセッティングする。このとき、マイクロホン１１ａに対応して音源を適切に撮影できる位置に小型カメラ１１ｃを、角度調整手段１１ｄを介して調整する。そして、マイク音声検出調整装置１に接続する操作手段７を介してカメラ付マイク１１の音声レベル等を調整する。
【００３６】
例えば、図３の左側（演奏者に向かって左側）からカメラ付マイク１１は、Ｎｏ．１〜Ｎｏ．６としたときに、操作手段７の音声レベル入力手段７ａの左側からＮｏ．１〜Ｎｏ．６のカメラ付マイク１１に対応して調整できるように設定されている。
【００３７】
さらに、表示手段８は、ここでは、液晶モニタを使用しており、液晶モニタがカメラ付マイク１１の数に対応する数設置されている。表示手段８は、ここでは、左端上下がＮｏ．１，Ｎｏ．２のカメラ付マイク１１からの映像、中央上下がＮｏ．３，Ｎｏ．４のカメラ付マイク１１からの映像、右端上下がＮｏ．５，Ｎｏ．６のカメラ付マイク１１からの映像を表示している。
【００３８】
そのため、マイク音声検出調整装置１は、切替選択手段７ｂを操作することで選択されると、選択信号に基づいて切替手段４が作動し、切替手段４により切替えられた映像が表示手段８に表示されるとともに、切替手段４により切替えられた音声が音声表示手段９で表示されるので、音声レベル入力手段７ａの操作ツマミを調整することで、選択されて切替えられたカメラ付マイク１１で集音した音声の音声信号を、音声調整手段３を介して調整することができる。また、マイク音声検出調整装置１は、他のカメラ付マイク１１も同様な操作により調整を行っている。
【００３９】
なお、オーケストラは、全体の音声と部分的な楽器による演奏の音声の両方の調整が必要となる。そのため、全体の音声を調整するときには、操作手段７の切替選択手段７ｂをすべてオンの状態とすることで、切替手段４が伝送される映像信号および音声信号をオンとして、すべてのカメラ付マイク１１からの音声が音声表示手段９から聴くことができる状態となる。
【００４０】
カメラ付マイク１１は、音声を集音するときに、音源の状態（この場合は、演奏者の状態）が映像として表示手段８に映し出されているため、一度カメラの１１ｃの角度およびマイクロホン１１ａの向きを調整して設定したら、音声と映像の両方で確認することが可能となる。
【００４１】
マイク音声検出調整装置１では、カメラの１１ｃの角度およびマイクロホン１１ａの向きを一度調整して設定されたカメラ付マイク１１が何らかの原因により変わってしまった等の状況が発生しても、操作手段７において、どの操作ツマミが、どの位置におけるカメラ付マイク１１であるかを映像により即座に判断できるため、どのカメラ付マイク１１の向きが変わったかを判断でき、すぐに再調整の操作を行うことが可能となる。
【００４２】
つぎに、図４および図５を参照してマイク音声検出調整装置１Ａの他の構成を説明する。図４は、他のマイク音声検出調整装置を含むマイク音声検出調整システムの全体を示す構成ブロック図、図５（ａ）、（ｂ）、（ｃ）は、マイク音声検出調整装置から出力された映像信号を映像として表示する状態を模式的に示す模式図である。なお、マイク音声検出調整装置１Ａにおいて、すでに説明した構成は同じ符号を付してその説明を省略する。
【００４３】
マイク音声検出調整システムＡａは、カメラ付マイク１１と、このカメラ付マイク１１から送られてくる映像信号を第２音声用ケーブル１０ｂで伝送できる信号（第２信号）に変換する変換手段１２と、この変換手段１２により変換された信号を伝送する第２音声用ケーブル１０ｂおよびマイクロホン１１ａの音声信号（第１信号）を伝送する第１音声用ケーブル１０ａと、この第１音声用ケーブル１０ａにより伝送される音声信号の調整を行うとともに、第２音声ケーブル１０ｂにより伝送される信号を映像信号に変換するマイク音声検出調整装置１Ａと、このマイク音声検出調整装置１Ａに接続される、操作手段７、表示モニタである表示手段８Ａ、スピーカである音声表示手段９を備えている。なお、マイク音声検出調整装置１Ａは、音声信号を調整して外部（例えば放送用）に分岐して出力できるように構成されている。
【００４４】
音声切替手段としての切替手段４Ａは、音声調整手段３から出力された音声信号のオンオフを切替えるためのものであり、音声調整手段３に対応する数の切替スイッチ４ｂを備えている。この切替手段４Ａは、操作手段７における切替選択手段７ｂからの選択信号に基づいて切替動作を行うように構成されている。すなわち、切替選択手段７ｂが一つの音声信号を選択した場合には、その選択された選択信号に基づいて切替スイッチ４ｂの一つをオンとし、他の切替スイッチ４ｂをオフとする。また、切替選択手段７ｂが複数の音声信号を選択した場合には、その選択された選択信号に基づいて切替スイッチ４ｂの複数をオンとし、他の切替スイッチ４ｂをオフとする。
【００４５】
変換手段２により信号から変換された映像信号は、映像出力手段５Ａに入力される。映像出力手段５Ａは、映像信号を表示手段８Ａに出力するものであり、識別表示手段５ａと、映像合成手段としての合成手段５ｂとを備えている。
【００４６】
識別表示手段５ａは、切替選択手段７ｂからの選択信号に基づいて、表示手段８Ａで表示される映像を他の映像と識別して表示させるものであり、ここでは、識別映像を作成している。この識別表示手段５ａは、選択信号に基づいて選択された映像信号の位置と予め設定された大きさに識別映像（例えば、図５の枠１８ａ）を作成して合成手段５ｂに出力している。
【００４７】
識別表示手段５ａは、例えば、選択された一つの映像を枠で示す場合には、図５（ａ）に示すような映像を作成することや、あるいは、選択された複数の映像を枠で示す場合には、図５（ｂ）に示すような映像を作成している。また、識別表示手段５ａは、図５（ｃ）に示すように、表示手段８Ａで表示される映像が表示プレート番号１８ｆを備えている場合には、その表示プレート番号１８ｆの部分を点滅させるような映像を作成するように構成されるものである。なお、図５では、撮影した映像を省略して識別映像のみを記載している。
【００４８】
なお、識別表示手段５ａは、ここでは、識別映像を作成する構成として説明したが、あらかじめメモリ（図示せず）に識別映像を記憶させておいて、その記憶させた識別映像を選択して合成手段５ｂに出力する構成としても構わない。
【００４９】
合成手段５ｂは、識別表示手段５ａにより作成された識別映像を他の映像と合成するものであり、合成した合成映像を表示手段８Ａに出力している。この合成手段５ｂにより識別映像と合成される映像は、予めそのレイアウトあるいは表示番号等が設定されている。
【００５０】
なお、表示手段８Ａは、ここでは、液晶あるいはブラウン管等の一つのモニタであり、合成手段５ｂにより合成した合成映像を表示している。また、ここでは、表示手段８Ａに表示された映像の位置にタッチすると映像（音声）が選択されるタッチパネルの構成を用いても構わない。タッチパネルの構成を用いる場合には、音声レベル入力手段７ａも併せて画面上に表示し（図示せず）、表示手段８Ａ自体が操作手段７を兼ねる構成としても構わない。
【００５１】
つぎに、マイク音声検出調整装置１Ａの使用例について図３ないし図５を参照して説明する。なお、具体的には、マイク音声検出調整装置１Ａをオーケストラによる演奏を行う場合において使用する状態を例示して説明する。
【００５２】
例えば、図３の左側（演奏者に向かって左側）からカメラ付マイク１１は、Ｎｏ．１〜Ｎｏ．６としたときに、操作手段７の音声レベル入力手段７ａの左側からＮｏ．１〜Ｎｏ．６のカメラ付マイク１１に対応して調整できるように設定されている。
【００５３】
マイク音声検出調整装置１Ａは、切替選択手段７ｂにより、例えば、Ｎｏ．３のカメラ付マイク１１を選択した場合には、選択信号に基づいて、切替手段４ＡのＮｏ．３のカメラ付マイク１１に対応する切替スイッチ４ｂがオンとなるとともに、他の切替スイッチ４ｂはオフとなり、かつ、識別表示手段５ａによりＮｏ．３のカメラ付マイク１１に対応する映像の位置に対して識別映像（枠）１８ａが作成される。
【００５４】
そして、識別表示手段５ａにより識別映像１８ａが合成手段５ｂに出力され、合成手段５ｂにより映像１８ｂと識別映像１８ａとが合成されて合成映像１８が作成され、図５（ａ）に示すように、表示手段８Ａにより表示される。そのため、映像と音声により選択されたカメラ付マイク１１の音声信号の調整を、映像で確認しながら行うことが可能となる。また、複数の映像信号を選択した場合には、図５（ｂ）に示すように、その選択された映像を他の映像から識別できるような大きさの識別映像１８ｃを作成、合成して表示するか、図５（ａ）に示す識別映像（枠）１８ａを複数作成することで、識別映像１８ａで囲まれている映像と、そうでない映像である他の映像（選択されていない映像）１８ｂとを識別する。
【００５５】
このマイク音声検出調整装置１Ａでは、全体の映像が常に表示手段８Ａ上に表示された状態で個々の音声信号の調整を行うことができるため、例えば、演奏者の衣服が調整済のカメラ付マイク１１に接触してカメラ付マイク１１の設置位置が変化しても、映像によりその状態を視認することも可能となり、再調整を迅速に行うことができる。
【００５６】
なお、図５（ｃ）に示すように、合成映像１８として合成される映像１８ｄが予めカメラ付マイク１１の表示プレート番号１８ｆを表示するような映像である場合には、識別表示手段５ａにより作成される識別映像１８ｅとなる。この識別映像１８ｅは、カメラ付マイク１１の表示プレート番号１８ｆ部分を点滅させて見せるような映像として作成されて、選択されていない映像１８ｄ（Ｎｏ．１、Ｎｏ．２、Ｎｏ．４〜Ｎｏ．６）と識別できるようにしている。
【００５７】
なお、図示しないが、マイク音声検出調整装置１Ａにおいて、表示手段８Ａが、複数の液晶パネルから構成されており、切替手段４Ａによりオンとなった音声信号をＬＥＤ（図示せず）の点灯により表示させている場合には、識別表示手段５ａは、映像出力手段５Ａとは分離した状態で構成され、選択信号に基づいて、ＬＥＤ（図示せず）を点灯させるように信号を出力するものとなる。
【００５８】
さらに、カメラ付マイク１１の小型カメラ１１ｃには、撮影される画角を変更することができるズームレンズを備える構成としてもよい。そして、一方、カメラ付マイク１１のマイクロホン１１ａとして、指向特性を変更することができるズームマイクロホンとしてもよい。
そして、ズームマイクロホンとズームレンズ付カメラを組合せ、マイクロホンの指向特性とカメラの画角を一致させるように構成すれば、映像の状態を確認してマイクロホンの状態の設定状態を調整することも可能となる。
【００５９】
また、マイク音声検出調整装置１，１Ａでは、音源とマイクロホンの対応を１人でもチェックすることができる。また、天井吊り設置など、人が容易に近づけない場所に設置されたマイクロホンであっても、映像により設置後の動作状況を確認することが可能となる。そして、マイク音声検出調整装置１，１Ａでは、音声調整する場合に、図示しない記憶手段に音声調整して設定されたときの映像を、基準映像として記憶させておき、その基準映像を基準としてマイクロホンの調整を行う構成としても構わない。
【図面の簡単な説明】
【００６０】
【図１】本発明に係るマイク音声検出調整装置を含むマイク音声検出調整システムの全体を示す構成ブロック図である。
【図２】（ａ）は本発明に係るカメラ付マイクの全体を示す斜視図、（ｂ）は本発明に係るカメラ付マイクの構成図である。
【図３】本発明に係るマイク音声検出調整装置をオーケストラによる演奏を行う場合において使用する状態を模式的に示す模式図である。
【図４】本発明に係る他のマイク音声検出調整装置を含むマイク音声検出調整システムの全体を示す構成ブロック図である。
【図５】（ａ）、（ｂ）、（ｃ）は、本発明に係るマイク音声検出調整装置から出力された映像信号を映像として表示する状態を模式的に示す模式図である。
【符号の説明】
【００６１】
１      マイク音声検出調整装置
１Ａ    マイク音声検出調整装置
２      変換手段
３      音声調整手段
４      切替手段
４Ａ    切替手段
４ａ    切替スイッチ
４ｂ    切替スイッチ
５      映像出力手段
５Ａ    映像出力手段
５ａ    識別表示手段
５ｂ    合成手段（映像合成手段）
６      音声出力手段
７      操作手段
７ａ    音声レベル入力手段
７ｂ    切替選択手段
８      表示手段
８Ａ    表示手段
９      音声表示手段
１０    音声用ケーブル
１１    カメラ付マイク
１１ａ  マイクロホン
１１ｂ  取付機構
１１ｃ  小型カメラ
１２    変換手段
１８    合成映像
１８ａ  識別映像
１８ｂ  映像
１８ｃ  識別映像
１８ｄ  映像
１８ｅ  識別映像
１８ｆ  表示プレート番号
Ａ      マイク音声検出調整システム
【図１】
2007028431.tif 000003
【図２】
2007028431.tif 000004
【図３】
2007028431.tif 000005
【図４】
2007028431.tif 000006
【図５】
2007028431.tif 000007